(57)【特許請求の範囲】
【請求項１】
被濾過液の流入口と流出口を底部に有する筒状のケースと、
このケースの上端に着脱可能に取り付けられてケース内を密封する蓋と、
シート状の濾過材を中心に貫通穴を持つように巻回してなり、外周面を上記ケースの内周に接してこのケースに収容されるロールフィルタと、
下端を上記流入口に接続し、上端を上記ロールフィルタの貫通穴の上端から突出させて上記ケース内に設けられ、圧送されてくる被濾過液を噴出する噴出管と、
上記蓋の内面に上記ケースの軸方向に位置調整可能に取り付けられ、噴出される被濾過液を衝突によって上記ロールフィルタの上端面に略均等に分散させる衝突板と、
この衝突板に取付部材を介して間隔をあけて取り付けられるとともに、上記噴出管に挿通され、かつ上記ロールフィルタを固定する環状の固定板とを備えたことを特徴とする密封型濾過装置。
【請求項２】
請求項１に記載の密封型濾過装置において、上記ロールフィルタの下面と上記ケースの底面の間に円板状の消臭フィルタを設けたことを特徴とする密封型濾過装置。
【請求項３】
請求項２に記載の密封型濾過装置において、上記噴射管を取り囲むように配置され、上端が上記固定板の下面に嵌合する一方、下端外周にねじを有する連結管をさらに備え、上記消臭フィルタは、上記連結管の下端のねじに螺合するねじと、上記連結管に連通する穴を略中央に有して、上記固定板との間に上記ロールフィルタを挟んで保持するようになっていることを特徴とする密封型濾過装置。
【請求項４】
請求項１乃至３のいずれか１つに記載の１つまたは複数の密封型濾過装置と、上記流入口に吐出管を接続したポンプと、被濾過液の温度を検出する温度センサおよび被濾過液の圧力を検出する圧力センサの少なくともいずれか１つと、設定値を入力するための入力装置と、上記少なくともいずれか１つのセンサの検出信号に基づいて被濾過液が異常な高温または高圧になったとき、警報を発するとともに、上記ポンプを停止させる制御装置とを備えたことを特徴とする濾過システム。
【発明の詳細な説明】
【０００１】
【発明の属する技術分野】
本発明は、例えば使用後の切削油、てんぷら油、養魚水、発酵後の酒類原料および泥水、雨水などの微細な塵芥や異粒子を含む液体を効率よく良好に濾過する密封型濾過装置に関する。
【０００２】
【従来の技術】
従来、この種の濾過装置として、例えば特開平８−１０７８３０号公報に記載のものがある。
この公報に記載の濾過装置は、概ね、専用のフィルタを収容した圧力釜の上部側方の流入口から被濾過液体を導入し、フィルタを通して塵芥や異粒子が濾し取られた液体を、圧力釜の下部の流出口から取り出すもので、自動車のエンジンオイルの濾過に従来から用いられているエレメントフィルタ方式を採用している。
【０００３】
【発明が解決しようとする課題】
ところが、上記従来の濾過装置では、エレメントフィルタ方式を採用して、フィルタの片面に毎分４０cc／cm2程度の一定流量で被濾過液体を注入するものであるため、酸化したてんぷら粉やゴミなどの濾し取られた微細な塵芥や異粒子が、フィルタの片面に偏って集まり、使用開始から短期間経過後にフィルタが目詰まりを起こすという問題がある。
【０００４】
そこで、本発明の目的は、被濾過液をフィルタの流入側に均等に分配するように構造を工夫することによって、被濾過液を長期間に亘って効率よく濾過できる密封型濾過装置およびこれを用いた濾過システムを提供することにある。
【０００５】
【課題を解決するための手段】
上記目的を達成するため、本発明の密封型濾過装置は、被濾過液の流入口と流出口を底部に有する筒状のケースと、このケースの上端に着脱可能に取り付けられてケース内を密封する蓋と、シート状の濾過材を中心に貫通穴を持つように巻回してなり、外周面を上記ケースの内周に接してこのケースに収容されるロールフィルタと、下端を上記流入口に接続し、上端を上記ロールフィルタの貫通穴の上端から突出させて上記ケース内に設けられ、圧送されてくる被濾過液を噴出する噴出管と、上記蓋の内面に上記ケースの軸方向に位置調整可能に取り付けられ、噴出される被濾過液を衝突によって上記ロールフィルタの上端面に略均等に分散させる衝突板と、この衝突板に取付部材を介して間隔をあけて取り付けられるとともに、上記噴出管に挿通され、かつ上記ロールフィルタを固定する環状の固定板とを備えたことを特徴とする。
【０００６】
上記密封型濾過装置では、底部に流入口と流出口をもち、上端が着脱可能な蓋で密封されたケース内に、シート状の濾過材を巻回してなるロールフィルタが収容され、下端を上記流入口に接続した噴出管の上端が、上記ロールフィルタの中心貫通穴の上端から突出し、噴出管の上端の上方には、上記蓋の内面にケースの軸方向に位置調整可能に取り付けられた衝突板が配置され、この衝突板に取り付け部材を介して取り付けられた環状の固定板が、噴出管の上端を囲むとともにロールフィルタの上端を固定している。従って、圧送されてきた被濾過液は、噴出管の上端から衝突板に向けて噴出し、この衝突板に衝突して下方のロールフィルタの上端面に向かって略均等に分散される。分散された被濾過液は、ロールフィルタ内を軸方向下方へ流れるに伴なって、含まれる塵芥や異粒子が濾し取られ、ロールフィルタの下端面からケース底部の流出口を経て、清浄な液となって流出する。
噴出管の上端から所定圧力で噴出される被濾過液が、上方の衝突板に衝突して、ロールフィルタの上端面に略均等に分散されるので、塵芥がロールフィルタの特定箇所に集中して短期間に目詰まりを起こすことがないから、被濾過液を長期間に亘って効率よく濾過することができる。
【０００７】
本発明の一実施形態では、上記ロールフィルタの下面と上記ケースの底面の間に円板状の消臭フィルタが設けられている。
【０００８】
この実施形態では、ロールフィルタの下面とケース底面の間に消臭フィルタが設けられているので、ロールフィルタで濾過された被濾過液を効果的に消臭できるから、ロールフィルタに消臭剤を含浸させた場合に比して、使用後の食用油などの被濾過液を一層強力に消臭することができる。
【０００９】
本発明の一実施形態では、上記噴射管を取り囲むように配置され、上端が上記固定板の下面に嵌合する一方、下端外周にねじを有する連結管をさらに備え、上記消臭フィルタは、上記連結管の下端のねじに螺合するねじと、上記連結管に連通する穴を略中央に有して、上記固定板との間に上記ロールフィルタを挟んで保持するようになっている。
【００１０】
この実施形態では、連結管の上端が固定板の下面に嵌合し、連結管の下端が消臭フィルタの略中央の穴に連通し、かつ連結管の下端のねじが消臭フィルタのねじに螺合して、固定板と消臭フィルタの間にロールフィルタが挟まれて保持される。従って、蓋の内側に衝突板を介して取り付けられた固定板を、ケースに装着し、ケースから取り出す際に、連結管を介して消臭フィルタおよびロールフィルタを上記固定板と一緒に装着し、取り出すことができるので、ロールフィルタおよび消臭フィルタの装着が容易になるとともに、被濾過液の温度や噴出圧力によってロールフィルタがケースに密着した場合でも、容易かつ確実に取り外すことができる。
【００１１】
本発明の濾過システムは、上記１つまたは複数の密封型濾過装置と、上記流入口に吐出管を接続したポンプと、被濾過液の温度を検出する温度センサおよび被濾過液の圧力を検出する圧力センサの少なくともいずれか１つと、設定値を入力するための入力装置と、上記少なくともいずれか１つのセンサの検出信号に基づいて被濾過液が異常な高温または高圧になったとき、警報を発するとともに、上記ポンプを停止させる制御装置とを備えたことを特徴とする。
【００１２】
上記濾過システムでは、１つまたは複数の密封型濾過装置の噴出管に、ポンプによって被濾過液が圧送され、この被濾過液の温度および圧力の少なくとも１つが温度センサや圧力センサで検出され、これらセンサの検出信号が入力装置から入力された上限値と比較され、比較結果が異常な高温または高圧であると、制御装置が警報を発するとともに、ポンプを停止させる。つまり、ロールフィルタの目詰まりやその他の原因で、被濾過液が異常な高温または高圧になった場合、警報で異常を知った使用者は、直ちに対策を採ることができ、濾過システムが強制停止されるので、危険が未然に防がれるうえ、複数の密封濾過装置を１つの制御装置で集中制御することも可能になる。
【００１３】
【発明の実施の形態】
以下、本発明を図示の実施形態により詳細に説明する。
図１は、本発明の密封型濾過装置の一実施形態を示す縦断面図である。この密封型濾過装置１は、被濾過液の流入口３,流出口４を底部２aの夫々中央,周辺に有する円筒状のケース２と、このケース２の上端２bに着脱可能に取り付けられてケース内を密封する蓋５と、シート状の濾過材を中心貫通穴６aを持つように巻回してなり、外周面をケースの内周に接してこのケース１に収容されたロールフィルタ６(図５(Ａ)参照)と、下端７aを上記流入口３に接続し、上端７bを上記中心貫通穴６aの上端から突出させてケース１の中心軸上に延在する噴出管７を備える。
なお、ロールフィルタ６の材料には、木材パルプを主とするセルロース繊維やこれに適宜割合で合成繊維を混入したものを用いるが、被濾過液に応じて再生紙、古紙、トイレットペーパなどを用いることもできる。また、ローフィルタは、製造コストを削減すべく一般的なＪＩＳ規格の寸法を採用し、密巻きによって巻き上げた。
【００１４】
さらに、上記密封型濾過装置１は、蓋５の内面中央に螺着したボルトの先端に固定され、噴出管の上端７bから噴き出される被濾過液を衝突によってロールフィルタ６の上端面６bに略均等に分散させる衝突板８と、この衝突板８に取付棒９を介して間隔をあけて取り付けられるとともに、中心穴１０aに上記噴出管７の上端７bを挿通し、下部外周１０bを上記ロールフィルタ６の中芯１１に嵌合し、大径の鍔部１０cをロールフィルタの上端面６bに当接させてロールフィルタ６の上端を固定する環状の固定板１０と、ロールフィルタ６の下端面６cとケース２の底面の間に設けられた円板状の消臭フィルタ１２を備える。
【００１５】
上記蓋５は、図４の上面図にも示すように、外面中央にＴ字状の把手１３が突設され、外周がケースの上端外周の面取部２cと一緒になって横Ｖ字状の楔をなす面取部５aになっていて、上記楔は、一端がヒンジ１５で連結され、他端が蝶ボルト１６で締付けられる１対の半円環からなるクランプ１４(図４参照)によって外側から締め付けられて、Ｏリング１９を介してケース１に密着させられる所謂圧力釜構造を呈する。
【００１６】
下端に衝突板８を固定したボルト１７は、上記把手１３の雌ねじ穴に螺合し、蓋５の内面側に螺合した止めナット１８を一旦緩めて、回転により進退させることによって、衝突板８および固定板１０をロールフィルタに高さに応じて位置調整できる。一方、固定板１０の中心穴１０aの内面、鍔部１０cの下端面、これに隣接する下部外周面には、Ｏリング２０を装着している。こうして、蓋５でケース１を密封したとき、固定板１０が、ロールフィルタの中心貫通穴６aおよび噴出管７の外周を液密に封止して、被濾過液が中心貫通穴６aに漏れ込むのを防止し、かつロールフィルタ６の変形を防止する一方、蓋５を外した際のロールフィルタ６の取り出しを容易にしている。
【００１７】
消臭フィルタ１２は、ステンレス鋼製の金網を円板状の籠に形成し、この籠内に活性白土、活性炭、トルマリンなどの小塊や粉末を充填してなり、ロールフィルタ６の固定の際に固定板１０から作用する押下力に十分耐え得るようにしている。
消臭フィルタ１２の外側には、ケース１の内面から僅かな隙間をあけて上下面が開放された仕切円筒２１を、その上端縁がロールフィルタ６の下面６cに食い込むように配置して、長期間の使用によってロールフィルタ６の外周とケース１の内周の間に生じ得る隙間を通って流出口４へ向かう未濾過の被濾過液の流れを阻止している。
【００１８】
噴出管７の下端７aは、流入口３を液密に貫通して下方へ突出しており、この下端７aに、ニップル２２を介してポンプ２４の吐出管２５が接続され、ポンプ２４は、ストレーナ２６から吸込管２３を経て吸い込んだ被濾過液を、１kgf／cm2程度の圧力で噴出管７へ図中矢印の如く圧送する。
【００１９】
上記構成の密封型濾過装置の作用について次に述べる。
ポンプ２４を起動すると、図示しないタンクの被濾過液が、ストレーナ２６および吸込管２３を経て吸い込まれ、図１の矢印で示すように吐出管２５を経て噴出管７へ圧送される。圧送されてきた被濾過液は、ケース１の中心軸上に延在する噴出管７の上端７bから噴き出され、上方の衝突板８に当たって放射状に下方へ向かい、ロールフィルタ６の上端面６bに略均等に分散される。分散された被濾過液は、ロールフィルタ６内を流下し、含有する塵芥や異粒子が流下に伴なってロールフィルタ６で濾し取られ、ロールフィルタの下端面６cから清浄な液となって流れ出る。
噴き出される被濾過液が、衝突板８によってロールフィルタ上端面６bに略均等に分散され、ロールフィルタ６内を隈なく流下するので、従来の濾過装置のように塵芥や異粒子がフィルタの特定箇所に集中して短期間に目詰まりを起こすことがなく、被濾過液を長期管に亘って効率よく濾過することができる。
【００２０】
また、複数のＯリング２０をもつ固定板１０を、ボルト１７の進退によって位置調整し、蓋５によるケース１の密封に際してロールフィルタ６の中芯１１および噴出管７に嵌装し、押下力に耐える消臭フィルタ１２を挟んでケース底部２aへ押し付けて、中芯１１の上端開口を密封するので、噴出管７から噴き出される被濾過液が中芯１１の内部に漏れ込むことがなく、使用時のロールフィルタ６の変形が防止され、加えて、消臭フィルタ１２の外側に配置した仕切円筒２１の上端縁が、ロールフィルタの下端面６cに食い込んで、ロールフィルタの外周とケース１の内周の間に生じ得る隙間を通る未濾過液の流れを遮るから、流出口４から塵芥等を含まない清浄な液を流れ出させることができる。
【００２１】
ロールフィルタの下端面６cから流れ出る清浄な液は、次いで矢印で示すように消臭フィルタ１２に入り、籠に充填された機能性夾雑物である活性白土、活性炭、トルマリンによって消臭され、異臭のない液となって流出口４から流れ出る。上記消臭フィルタ１２は、ロールフィルタに消臭剤を含浸させた従来例と異なり、ロールフィルタ６とは別個専用に設けているので、例えば食用油や養魚水といった被濾過液の用途に合わせて消臭剤を容易に取り替えることができるうえ、従来例に比してより強力に被濾過液を消臭することができる。なお、上記消臭フィルタ１２は、油カスや油中成分の変化や加熱による酸化で臭いが発生しやすいてんぷら油に対して用いれば好適である。
【００２２】
被濾過液が、てんぷら油等のように100〜150℃と比較的高温な場合、衝突板８によって、噴出する被濾過液が直接ケース１に当たらないうえ、衝突板８が放熱作用を奏するので、使用者がケース１に触れても火傷することはない。
さらに、噴出管７に小径管を用いているので、ロールフィルタの横断面積を増やすことができ、濾過効率を上げることができる。
【００２３】
図２は、図１のロールフィルタ６よりも短いロールフィルタ２７を用いた図１と同様の密封型濾過装置の断面を示しており、図１と同じ部材には同一番号を付して説明を省略する。
上記ロールフィルタ２７は、図５(Ｂ)の斜視図に示すように、中芯２８の周りにセルロース繊維等からなるシートを巻き付けてなり、ケース１内の仕切円筒２１に高さ調整のため載せられた円筒状の台座２９に渡した多数の水抜き穴をもつ支持円板３０に載置して収容される。仕切円筒２１の上端縁は、図１で述べたと同様、台座２９の下端面に食い込み、上記支持円板３０の外周の立縁は、ロールフィルタ２７の下面に食い込んで、ケース内周とロールフィルタ外周の間に生じ得る隙間を流下する未濾過の液の流出を防ぐようになっている。台座２９の高さは、蓋５でケース１が密封されるとき、固定板１０が中芯２８の上端開口に密封嵌合するように設定されている。
【００２４】
上記密封型濾過装置も、ロールフィルタ２７が短い点を除いて図１の装置と同じ構造であるので、図１で述べたと同様に動作し、同様の効果を奏する。
【００２５】
図３は、図１のロールフィルタ６の中芯１１をなくしたロールフィルタ３１を用いた図１と同様の密封型濾過装置の断面を示しており、図１と同じ部材には同一番号を付して説明を省略する。
上記ロールフィルタ３１は、図５(Ｃ)の斜視図に示すように、噴出管７にぴったり嵌り込む内径の中心貫通穴３１aを持つようにセルロース繊維等からなるシートを巻き付けて作られ、ケース１内に図３に示すように収容される。固定板３２は、図１,２の固定板１０と異なって短く、中心穴３２aの内周と下端面３２bに夫々Ｏリング２０を嵌装して、蓋５によるケース１の密封の際に、固定板３２がロールフィルタの上端面３１bの中央を押圧するようにして、噴出管７の外周とロールフィルタ３１の中心貫通穴３１aの内周との間に生じ得る隙間に未濾過液が漏れ込まないようにしている。
【００２６】
上記密封型濾過装置も、ロールフィルタ３１が中芯なしのものである点を除いて図１の装置と同じ構造であるので、図１で述べたと同様に動作し、同様の効果を奏する。
なお、この密封型濾過装置では、ロールフィルタ３１の中心貫通穴３１aが噴出管７に嵌合しているので、図１,２の実施形態に比してロールフィルタの横断面積を増やすことができ、濾過効率を一層上げることができる。
なお、以上の実施形態では、濾過の対象が液体である場合について述べたが、本発明の密封濾過装置は、排ガスを含む湿った空気の浄化処理にも用いることができる。
【００２７】
図６は、図１〜３の密封型濾過装置を用いた本発明の濾過システムの一例を示す概略ブロック図である。
この濾過システムは、密封型濾過装置１と、この装置の噴出管７に被濾過液を圧送するポンプの吐出管２５に介設された温度センサ３４および圧力センサ３５と、制御回路３３で構成される。
上記制御回路３３は、温度,圧力センサ３４,３５からの検出信号を増幅するセンサアンプ３６と、このセンサアンプ３６の出力をディジタル信号に変換するＡ／Ｄ変換器３７と、上限温度や上限圧力を入力するための入力装置としてのキーボード４１と、被濾過液の温度や圧力が異常なときに警報や光を発する温度,圧力警報器３９,４０と、上記Ａ／Ｄ変換器３７から入力される信号が表わす被濾過液の温度および圧力を、キーボードから入力された上限温度および上限圧力と比較して、前者が後者を超えているときに温度または圧力警報器３９,４０を作動させるとともに、ポンプ２４を停止させる制御装置としてのコンピュータ３８と、外部接続機器と信号を送受信する周辺インターフェイス４３と、この周辺インターフェイス４３およびキーボード４１とコンピュータ３８との信号の送受を制御する外部コントローラ４２で構成される。
【００２８】
上記濾過システムは、次のように動作する。
ポンプ２４によって供給される被濾過液が、密封型濾過装置１で濾過されているとき、ロールフィルタ６の目詰まりや他の原因で吐出管２５内の被濾過液の温度または圧力が、キーボード４１で設定された上限値を超えると、センサアンプ３６とＡ／Ｄ変換器３７を介して入力される検出信号と上記上限値を比較しているコンピュータ３８は、異常高温または異常高圧と判断して、温度警報器３９または圧力警報器４０を作動させ、ポンプ２４を緊急停止させる。
すると、温度警報器３９または圧力警報器４０の発する警報で異常を知った使用者は、直ちに濾過システムの不良箇所を点検して、対策を採ることができる。また、運転続行による事故等がポンプ２４の緊急停止によって未然に防がれる。
【００２９】
上記実施形態では、コンピュータ３８が単一の密封型濾過装置を制御する場合について述べたが、コンピュータ３８は、複数の密封型濾過装置に設けられた温度センサや圧力センサからの検出信号に基づいて、同様に異常な密封型濾過装置の警報器を作動させ、ポンプを停止させるようにも構成できる。従って、このような構成によれば、複数の密封型濾過装置を１つのコンピュータで集中制御することができ、例えばホテルにおける廃水や自動車修理工場におけるエンジンオイルなど多量の被濾過液を常時処理する必要がある場合に用いれば好適である。
【００３０】
図７は、本発明の密封型濾過装置の他の実施形態を示す縦断面図であり、この密封型濾過装置は、固定板１０と消臭フィルタ１２を連結管４４で連結した点を除いて図１の密封型濾過装置と同じ構成であり、図１と同じ部材には同一番号を付して説明を省略する。
上記連結管４４は、噴射管７よりも大径で、この噴射管７を取り囲むように同心に配置され、上端４４aが固定板１０の底面の中央穴１０cに嵌合する一方、下端外周に雄ねじ４４b(図８(Ａ)参照)を有する。消臭フィルタ１２は、上記連結管４４の雄ねじ４４bに螺合する雌ねじ１２aを内周にもつ大径の穴と、この穴の下方に連なり、噴出管７が密に挿通される小径の穴１２b(図８(Ａ)参照)とを中央に有する。
【００３１】
上記構成の密封型濾過装置の作用を図８(Ａ),(Ｂ)を参照しつつ次に述べる。
蓋５の内面にボルト１７、衝突板８および取付棒９を介して取り付けられた固定板１０の底面の中央穴１０dに、図８(Ａ)に示すように、連結管４４の上端４４aを嵌め込み、この連結管４４の下端からロールフィルタ６を挿入して、図７に示すように、ロールフィルタ６の中芯１１を固定板１０の下部外周１０bに嵌合させ、ロールフィルタ６の上端面６bを固定板１０の鍔部１０cに当接させた後、ロールフィルタ６の下端から突出する雄ねじ４４bを、消臭フィルタ１２の中央穴の雌ねじ１２aに螺合して締め付け、図８(Ｂ)に示すように、固定板１０と消臭フィルタ１２の間にロールフィルタ６を挟んで保持し、蓋５、ロールフィルタ６および消臭フィルタ１２を一体化する。
次に、一体化されたロールフィルタ６と消臭フィルタ１２をケース２の上端開口から挿入し、ケース２内の中央に突出する噴出管７を、消臭フィルタ１２の小径穴１２bと固定板１０の中心穴１０aに通して、ケース２の上端開口を蓋５とクランプ１４で密封すると、ロールフィルタ６と消臭フィルタ１２の装着が終了する(図７参照)。従って、この密封型濾過装置は、ロールフィルタ６と消臭フィルタ１２を蓋５の装着と同時に容易に装着することができるという利点がある。
【００３２】
ロールフィルタ６を目詰まりによる取り替えなどで取り外す必要が生じた場合、クランプ１４を外して、把手１３によって蓋５を引き上げる。すると、蓋５と一体化されたロールフィルタ６および消臭フィルタ１２も、一緒に引き上げられて、ケース２の上方へ引き抜かれる。従って、稼動中に被濾過液の高温または高い噴出圧力によってロールフィルタ６がケース２密着した場合でも、ロールフィルタ６を容易かつ確実に取り外すことができるという利点がある。
なお、上記実施形態では、連結管４４の下端外周に雄ねじ４４bを、消臭フィルタ１２の中央に雌ねじ１２bを夫々設けたが、連結管に雌ねじを、消臭フィルタに雄ねじを設けることも可能である。
【００３３】
【発明の効果】
以上の説明で明らかなように、本発明の密封型濾過装置は、底部に流入口と流出口をもち、上端が着脱可能な蓋で密封されたケース内に、シート状の濾過材を巻回してなるロールフィルタを収容し、下端を上記流入口に接続した噴出管の上端を、上記ロールフィルタの中心貫通穴の上端から突出させ、噴出管の上端の上方に、上記蓋の内面にケースの軸方向に位置調整可能に取り付けられた衝突板を配置し、この衝突板に取り付け部材を介して環状の固定板を取り付けて、この固定板で噴出管の上端を囲むとともにロールフィルタの上端を固定しているので、被濾過液を、衝突板に衝突させてロールフィルタの上端面に略均等に分散させることができるから、塵芥がロールフィルタの特定箇所に集中して短期間に目詰まりを起こすことがなく、被濾過液を長期間に亘って効率よく濾過することができる。
【００３４】
本発明の密封型濾過装置の一実施形態では、ロールフィルタの下面とケース底面の間に消臭フィルタが設けられているので、ロールフィルタで濾過された被濾過液を効果的に消臭できるから、ロールフィルタに消臭剤を含浸させた場合に比して、使用後の食用油などの被濾過液を一層強力に消臭することができる。
【００３５】
本発明の密封型濾過装置の一実施形態では、連結管の上端が固定板の下面に嵌合し、連結管の下端が消臭フィルタの略中央の穴に連通し、かつ連結管の下端のねじが消臭フィルタのねじに螺合して、固定板と消臭フィルタの間にロールフィルタが挟まれて保持されるので、連結管を介して消臭フィルタおよびロールフィルタを上記固定板と一緒に装着し、取り出すことができるので、ロールフィルタおよび消臭フィルタの装着が容易になるとともに、被濾過液の温度や噴出圧力によってロールフィルタがケースに密着した場合でも、容易かつ確実に取り外すことができる。
【００３６】
本発明の濾過システムは、１つまたは複数の密封型濾過装置の噴出管に、ポンプによって被濾過液が圧送され、この被濾過液の温度および圧力の少なくとも１つが温度センサや圧力センサで検出され、これらセンサの検出信号が入力装置から入力された上限値と比較され、比較結果が異常な高温または高圧であると、制御装置が警報を発するとともに、ポンプを停止させるので、警報で異常を知った使用者は、直ちに対策を採ることができ、濾過システムが強制停止されるので、危険が未然に防がれるうえ、複数の密封濾過装置を１つの制御装置で集中制御することも可能になる。
【図面の簡単な説明】
【図１】  本発明の密封型濾過装置の一実施形態を示す縦断面図である。
【図２】  ロールフィルタを図１のものより短くした密封型濾過装置の縦断面図である。
【図３】  図１のロールフィルタの中芯をなくしたロールフィルタをもつ密封型濾過装置の縦断面図である。
【図４】  図１の密封型濾過装置の上面図である。
【図５】  種々の上記ロールフィルタを示す斜視図である。
【図６】  図１〜３の密封型濾過装置を用いた本発明の濾過システムの一例を示す概略ブロック図である。
【図７】  本発明の密封型濾過装置の他の実施形態を示す縦断面図である。
【図８】  図７の密封型濾過装置の要部を示す分解斜視図および組立て状態の斜視図である。
【符号の説明】
１  密封型濾過装置
２  ケース
３  流入口
４  流出口
５  蓋
６  ロールフィルタ
７  噴出管
８  衝突板
１０  固定板
１１  中芯
１２  消臭フィルタ
１２a  雌ねじ
１２b  小径穴
１４  クランプ
１７  ボルト
２４  ポンプ
２５  吐出管
３３  制御回路
３４  温度センサ
３５  圧力センサ
３８  コンピュータ
３９  温度警報器
４０  圧力警報器
４１  キーボード
４４  連結管
４４b  雄ねじ
【図１】
0003748816.tif 000002
【図２】
0003748816.tif 000003
【図３】
0003748816.tif 000004
【図４】
0003748816.tif 000005
【図５】
0003748816.tif 000006
【図６】
0003748816.tif 000007
【図７】
0003748816.tif 000008
【図８】
0003748816.tif 000009